(57)【要約】【課題】賞球とファール球とを同じ受皿に返却する構成において、遊技者がファール球の返却を容易に確認できるパチンコ遊技機を提供すること。【解決手段】パチンコ球を発射する発射装置へパチンコ球を供給する供給レール１５と、該供給レール１５に供給するパチンコ球を保持する受皿１０と、発射されたパチンコ球のうち遊技空間に到達しなかったファール球を回収するファール球回収機構２１とを含むパチンコ遊技機１であって、受皿１０には、ファール球回収機構２１により回収したファール球を受皿１０へ返却するファール球返却口１１が開口している。【選択図】図４
2008161719.tif 000002
【特許請求の範囲】
【請求項１】
パチンコ球を発射する発射装置へパチンコ球を供給する供給レールと、該供給レールに供給するパチンコ球を受け溜める受皿と、発射されたパチンコ球のうち遊技空間に到達しなかったファール球を回収するファール球回収機構とを含むパチンコ遊技機であって、
上記発射装置は、上記パチンコ遊技機の表面側からみて左側部に配置されていると共に、打球ハンマーにより、発射台にセットされたパチンコ球を打撃して発射口から略垂直方向に向けて打ち出すよう構成してあり、
上記ファール球回収機構は、上記パチンコ遊技機の表面側からみて左側部であって、上記発射装置の上記発射口の周囲に配設してあると共に、上記遊技空間に到達せずに落下してくるファール球を受け止めるキャッチャーと、該キャッチャーの後方側に連通されたファール球ポケットと、上記受皿に対して開口するファール球返却口と、該ファール球返却口と上記ファール球ポケットとを連通するよう上記受皿の縁部に穿設されたファール球トンネルとを有しており、
該ファール球トンネルは、上記発射口の左側において上記ファール球ポケットに連通していることを特徴とするパチンコ遊技機。
【発明の詳細な説明】
【技術分野】
【０００１】
本発明は、パチンコ球を遊技領域に打ち込んでゲームを行うパチンコ遊技機に関する。
【背景技術】
【０００２】
パチンコ遊技機は、遊技盤上に形成されてなる遊技領域へパチンコ球を発射してゲームを行うものである。発射されたパチンコ球は、誘導レールにガイドされて遊技領域へ導かれるが、勢いが足りずに遊技領域まで到達せずにファール球となる場合がある。このようなファール球は、ファール球回収手段により回収して遊技者に返却される。
パチンコ球を受け溜める受け台として上皿と下皿とを有するパチンコ遊技機の場合、遊技者に知らしめるためファール球は下皿に返却することが多い。
【０００３】
しかしながら、上記従来のファール球の返却方法においては、次のような問題がある。
即ち、下皿へ返却されたファール球は、上皿に載せ直す必要があり遊技者にとって煩雑である。また、一般的に、ファール球回収手段と下皿とは離れているため、ファール球が返却されるまでに長い時間を要するという問題がある。
さらに、上皿と下皿とが一体となった一体皿を有するパチンコ遊技機においては、賞球及びファール球を共に、その一体皿に供給する必要がある。このような場合、返却されたファール球と、賞球として払い出されたパチンコ球との混同を生じる。そうすると、遊技者に知らしめてファール球を返却することが難しくなる。
なお、特許文献１には、パチンコ機において、ファール球用の球受け回収部材を設けてなるファール球処理装置が開示されている。
【０００４】
【特許文献１】特開平７−５９９２６号公報
【発明の開示】
【発明が解決しようとする課題】
【０００５】
本発明はかかる従来の問題点に鑑みてなされたもので、遊技者がファール球の返却を容易に知ることができるパチンコ遊技機を提供しようとするものである。
【課題を解決するための手段】
【０００６】
本発明は、パチンコ球を発射する発射装置へパチンコ球を供給する供給レールと、該供給レールに供給するパチンコ球を受け溜める受皿と、発射されたパチンコ球のうち遊技空間に到達しなかったファール球を回収するファール球回収機構とを含むパチンコ遊技機であって、
上記発射装置は、上記パチンコ遊技機の表面側からみて左側部に配置されていると共に、打球ハンマーにより、発射台にセットされたパチンコ球を打撃して発射口から略垂直方向に向けて打ち出すよう構成してあり、
上記ファール球回収機構は、上記パチンコ遊技機の表面側からみて左側部であって、上記発射装置の上記発射口の周囲に配設してあると共に、上記遊技空間に到達せずに落下してくるファール球を受け止めるキャッチャーと、該キャッチャーの後方側に連通されたファール球ポケットと、上記受皿に対して開口するファール球返却口と、該ファール球返却口と上記ファール球ポケットとを連通するよう上記受皿の縁部に穿設されたファール球トンネルとを有しており、
該ファール球トンネルは、上記発射口の左側において上記ファール球ポケットに連通していることを特徴とするパチンコ遊技機にある（請求項１）。
【０００７】
本発明の上記パチンコ遊技機は、その受皿に上記ファール球返却口を有している。そのため、上記パチンコ遊技機においては、ファール球は、上記ファール球返却口から返却されて受皿に入る。
それ故、遊技者は、ファール球返却口からファール球が返却されたことを確認することが容易である。
このように本発明によれば、遊技者はファール球の返却を容易に確認することができる。
【発明を実施するための最良の形態】
【０００８】
本発明においては、上記受皿には、上記賞球払出口から払い出されたパチンコ球が最初に転がり込む賞球受け部と、上記ファール球返却口から返却されたパチンコ球が最初に転がり込むファール球受け部とが設けられており、かつ、上記賞球受け部と上記ファール球受け部とは互いに離れた位置に配置されていることが好ましい。
【０００９】
ここで、上記賞球受け部及び上記ファール球受け部の各領域は、必ずしも上記受皿上の段差や仕切り線等によって厳密に区画された領域ではなく、上記受皿の各領域を、その機能に分けて表現してなる領域である。
【００１０】
そして、上記賞球受け部と上記ファール球受け部とを、互いに離れた位置に配置してある場合には、上記ファール球受け部に転がり落ち、その後受皿上を転がっていき他のパチンコ球と合流するまでの時間を長くすることができる。そして、この長くされた時間内に、遊技者がファール球に気が付けば良い。そのため、遊技者は、ファール球が返却されたことを、さらに容易に確認することができる。
【００１１】
また、上記受皿は、上記供給レールへパチンコ球を供給するレール供給部を有しており、上記ファール球受け部と上記賞球受け部とは、上記レール供給部を挟んで対向していることが好ましい。
【００１２】
この場合には、上記レール供給部を挟んで、上記賞球受け部の反対側に配置した上記ファール球受け部にファール球を返却することにより、ファール球返却をさらに容易に確認することができる。すなわち、上記賞球受け部からレール供給部へ供給されるパチンコ球の転がっていく方向と、上記ファール球受け部からレール供給部へ供給されるファール球の転がっていく方向とが逆となる。そのため、ファール球の返却と賞球の払い出しとが同時に行われた場合においても、遊技者は返却されるファール球にさらに気が付きやすくなる。
なお、上記受皿上には、外部に設置された貸球装置から供給されてくる貸球を受け止める機能を有する貸球受け部を配置することもできる。そして、この場合には、上記貸球受け部と上記ファール球受け部とを重複して配置することが好ましい。上記貸球受け部に貸球が貸し出される頻度は低いため、ファール球の返却と同時となる確率は低い。そのため、ファール球の返却をさらに容易に確認することができる。また、上記受皿において、賞球が供給される領域を、その他の領域から区別して、各領域を機能的かつ効率的に配置できるという効果も生じる。
また、上記賞球受け部と上記貸球受け部とを重複して配置し、上記ファール球受け部を独立して配置することもできる。この場合にも、ファール球の返却の確認が容易である。
【００１３】
また、上記ファール球返却口は、上記受皿の縁部に穿設されてなるトンネル状のファール球トンネルを介して、上記受皿の凹形状をなす全ての面のうち遊技者から見えにくい面に開口していることが好ましい。
この場合には、上記ファール球返却口に異物等を挿入されるおそれを少なくすることができる。
【００１４】
また、上記ファール球トンネルは、開閉可能なカバーによって被ってあることが好ましい。
この場合には、トンネル形状である上記ファール球トンネルの内部で、パチンコ球やゴミのつまり等が生じた場合に、上記カバーを開けることにより容易にメンテナンスを実施することができる。
なお、上記カバーが遊技者から目視可能に配置されている場合には、上記カバーを透明な部材により形成することも良い。この場合には、遊技者は、上記ファール球トンネルを転がって返却されてくるファール球を目視することができる。
【００１５】
また、上記パチンコ遊技機は、本体の上部に配置された球タンクから供給されるパチンコ球を上記受皿に供給する球払出装置と、上記球タンクから上記球払出装置へパチンコ球を供給する球供給路と、上記球払出装置から上記賞球払出口へパチンコ球を払い出す球払出流路とを有していると共に、上記球払出装置、上記球供給路、上記球払出流路及び上記賞球払出口は上記パチンコ遊技機の表面側から見て中央から右側部に配置してあり、上記ファール球回収機構、上記ファール球トンネル及び上記ファール球返却口は上記パチンコ遊技機の表面側から見て中央から左側部に配置してあることが好ましい。
【００１６】
この場合には、上記球払出装置、上記球供給路、上記球払出流路及び上記賞球払出口がパチンコ遊技機本体の右側部に配置されてなるパチンコ遊技機において、上記ファール球を返却するための通路等を上記パチンコ遊技機の裏面を横断して配設する必要がなくなる。そのため、上記パチンコ遊技機は、制御用コントローラ等の搭載性が非常に良好なものとなる。
【００１７】
また、上記パチンコ遊技機は、単一の上記受皿を有する一体皿構造であることが好ましい。
この場合には、ファール球と賞球とを、必ず同じ受皿に供給する必要がある。そのため、本発明が奏する効果は、さらに顕著なものとなる。
【００１８】
また、上記発射装置は、上記パチンコ遊技機の表面側からみて左側部に配置されていると共に、略垂直方向に向けてパチンコ球を発射するよう構成されていることが好ましい。
この場合には、上記ファール球回収機構と上記発射装置とを、接近して配置することが可能となる。そのため、パチンコ球を発射してから、ファール球として回収し、返却するまでの時間をさらに短縮することができる。さらに、上記ファール回収機構と上記発射装置とを一体ユニット化して、このユニットをスペース効率も良く配置できる可能性もある。
【実施例】
【００１９】
（実施例１）
本発明の実施例にかかるパチンコ遊技機１について、図１〜図６を用いて説明する。
本例のパチンコ遊技機１は、パチンコ球を発射する発射装置２０へパチンコ球を供給する供給レール１５と、該供給レール１５に供給するパチンコ球を保持する受皿１０と、発射されたパチンコ球のうち遊技空間に到達しなかったファール球を回収するファール球回収機構２１とを含むものである。
そして、上記受皿１０に対して、上記受皿１０への賞球の払い出しを行う賞球払出口１２と、上記ファール球回収機構２１により回収したファール球を上記受皿１０へ返却するファール球返却口１１とが独立して開口している。以下、この内容について、詳しく説明する。
【００２０】
本例のパチンコ遊技機１は、図１に示すごとく、例えば、プラスチック製の前枠４０に遊技盤４１を取り付けてなるものである。該遊技盤４１の盤面には、例えば大型ディスプレイ４２、入賞装置４３等を含む遊技領域が形成されている。そして、該遊技領域の左側には、遊技領域へ発射するパチンコ球を案内する外レール４４と内レール４５とが配設されている。該内レール４５は、レール先端４５１を有している。そして、外レール４４と内レール４５とにより挟まれるレール空間は、レール先端４５１に取り付けられた戻り球防止片４５２を介して上記遊技領域と接している。
【００２１】
また、前枠４０の前面であって、遊技盤４１の下側に位置する部分には、前面パネル４６及びパチンコ球を受け溜める一体皿で構成された受皿１０が支持されている。そして、該前面パネル４６には、パチンコ球の発射の打ち出し力を調整する調整機能を有する操作ハンドル２５が配設してある。
【００２２】
上記発射装置２０は、図２に示すごとく、パチンコ遊技機１の表面側からみて左側部に配置されており、打球ハンマー２４により、発射台２３にセットされたパチンコ球を打撃して発射口２６から略垂直方向に向けて打ち出す装置である。該発射台２３は、上記供給レール１５を介して受皿１０に繋がっている。そして、受皿１０上に受け溜められたパチンコ球は、この供給レール１５を経由して、球送出し装置（図示略）により順次１個ずつ発射台２３に供給される。また、打球ハンマー２４は、発射モータ２７に接続されると共に、操作ハンドル２５の操作量に応じた打ち出し力を発生するよう構成してある。
【００２３】
そして、上記ファール球回収機構２１は、図４に示すごとく、上記発射口２６の周囲に配設されてなるキャッチャー２１１とファール球通路部２１２とファール球ポケット２１３とを有している。上記キャッチャー２１１は、発射口２６から発射されたパチンコ球のうち、遊技領域に到達せずに落下してくるファール球を受け止める部分である。
【００２４】
このキャッチャー２１１は、図２におけるＡ−Ａ断面形状を表した図３に示すごとく、ファール球通路部２１２に向って傾斜する複数の傾斜リブ２１７よりなる傾斜面２１８を有している。また、ファール球通路部２１２は、ファール球ポケット２１３に向けて緩く傾斜する傾斜面により構成されている。
【００２５】
また、上記受皿１０は、図４に示すごとく、独立して開口する賞球払出口１２とファール球返却口１１とを有している。この賞球払出口１２は、図５に示すごとく、球払出流路６１を介して、賞球の払い出しを行う球払出装置６２に連結されている。そして、該球払出装置６２には、球タンク６４に貯留されたパチンコ球が、タンクレール６５及び球供給路６３により整流されて供給されるよう構成してある。
【００２６】
また、上記ファール球返却口１１は、発射装置２０によって発射されたパチンコ球のうちファール球を返却するものである。そして、該ファール球返却口１１は、図４に示すごとく、受皿１０の縁部に穿設されたファール球トンネル２２を介して、上記ファール球回収機構２１のファール球ポケット２１３に連通している。
【００２７】
ここで、このファール球トンネル２２の一部には、図４のＢ−Ｂ断面形状を表す図６に示すごとく、その一方の壁部に開閉可能なガイドプレート２２４を配設した。そして、このガイドプレート２２４を、受皿１０の裏面側から開閉操作できるように、鉛直方向に延びるプレート状のリブ２２２、２２３に挟まれた中空部２２１を設けてある。
そして、ガイドプレート２２４は、ピン２２５を中心に回動可能に配設されており、開放することによって上記中空部２２１からファール球トンネル２２内に通じるメンテナンス用貫通孔を形成することができる。
【００２８】
そして、このガイドプレート２２４は、受皿１０の裏面側からのみ目視でき、触れることができるように構成されている。すなわち、上記遊技領域を被うガラス枠（図示略）を開け、さらに上記前面パネル４６を開けなければ、このガイドプレート２２４に触れることができないような構造となっている。
【００２９】
そして、上記賞球払出口１２は、図４に示すごとく、受皿１０の賞球受け部１２０に向けて開口し、上記ファール球返却口１１はファール球受け部１１０に向けて開口している。さらに、受皿１０は、図示しない外部の貸球装置から貸球が供給される領域であって、上記ファール球受け部１１０と重複する貸球受け部１３０を有している。
受皿１０においては、該貸球受け部１３０及び上記ファール球受け部１１０は、供給レール１５へパチンコ球を供給するレール供給部１４０を挟んで、上記賞球受け部１２０と反対側に配置してある。
【００３０】
なお、賞球受け部１２０、ファール球受け部１１０、レール供給部１４０及び貸球受け部１３０の各領域は、段差や仕切り線等により厳密に仕切られた領域ではなく、上記受皿１０の各領域をその機能ごとに分けて表現してなる領域である。
すなわち、賞球受け部１２０は、賞球払出口１２から払い出されたパチンコ球が最初に転がり込む領域であり、ファール球受け部１１０は、ファール球返却口１１は、ファール球返却口１１から返却されたパチンコ球が最初に転がり込む領域である。また、レール供給部１４０及び貸球受け部１３０は、上述の機能を有する領域である。
【００３１】
このように構成されたパチンコ遊技機１において、発射装置２０から打ち出されたが、遊技領域に到達しなかったファール球を返却する手順について説明する。
受皿１０には、図４に示すごとく、予め、賞球払出口１２から払い出されたパチンコ球や図示しない貸球装置により貸し出されたパチンコ球を受け溜めてある。このパチンコ球は、レール供給部１４０に流れ込み、さらに供給レール１５により整列して順次１個ずつ発射台２３にセットされていく。
【００３２】
そして、発射台２３にセットされたパチンコ球は、図２に示すごとく、打球ハンマー２４によって打撃され、上記外レール４４と上記内レール４５とにより形成されるレール空間を打ち上げられる。そして、図１に示すごとく、上記レール先端４５１を越えたパチンコ球は、遊技領域に落下していきゲームを成立させる。一方、レール先端４５１を超えることができなかったファール球は、上記レール空間を再落下していく。そして、ファール回収機構２１のキャッチャー２１１に受け止められることとなる。
【００３３】
該キャッチャー２１１に受け止められたファール球は、図４に示すごとく、その傾斜面２１８に沿ってファール球通路部２１２に転がり込む。そしてさらに、ファール球通路部２１２の底面をなす傾斜面に沿ってファール球ポケット２１３に転がり落ちていく。
【００３４】
そして、このようにしてファール球ポケット２１３に転がり落ちたファール球は、ファール球トンネル２２を経てファール球返却口１１から受皿１０に返却される。そしてその後、ファール球は、ファール球受け部１１０からレール供給部１４０に向って転がっていき、他のパチンコ球と合流することとなる。
【００３５】
このように本例のパチンコ遊技機１によれば、受皿１０においてレール供給部１４０を挟んで、上記賞球受け部１２０と反対側に配置してあるファール球受け部１１０へファール球を返却する。そのため、ファール球の返却と賞球の払い出しとが同時に行われた場合であっても、ファール球の返却を確認するのが容易である。
さらに、パチンコ遊技機１に向って左側部にあるファール球回収機構２１により回収したファール球を、同じ側に配置したファール球返却口１１から返却する。そのため、回収したファール球を速やかに返却することができる。
【００３６】
なお、上記ファール球トンネル２２は、図７に示すごとく、受皿１０の縁部の一部分をなすトンネルカバー１３により被って形成することもできる。この場合には、トンネル構造は、Ｃ−Ｃ断面形状を表す図８に示すごとく、トンネルカバー１３の裏面に成形された凹溝１３１と、受皿１０本体の表面に形成された凹溝１００との組み合わせにより形成される。
【００３７】
このトンネルカバー１３は、受皿１０から突出するよう設けられた略カギ形状の一対のガイド１０１により挟持され、矢印Ｄ方向に沿ってスライドできるように構成されている。そしてさらに、トンネルカバー１３は、受皿１０の当接面１０２に当接するとともに、上記前面パネル４６が閉じているときには、受皿１０の裏面側に配置される部材（図示略）に当接して固定されるように構成してある。したがって、前面パネル４６を開けた場合にのみ、このトンネルカバー１３を矢印Ｄ方向にスライドさせ取り外すことができるようになっている。
【００３８】
さらに、このトンネルカバー１３を透明な部材により成形することも考えられる。この場合には、ファール球トンネル２２を転がってくるファール球を、トンネルカバー１３を透かして見ることができる。それ故、遊技者は、ファール球の返却をさらに容易に確認することができるようになる。
【００３９】
（実施例２）
本例は、実施例１のパチンコ遊技機１に基づいて、受皿１０の形状を変更した例である。
本例のパチンコ遊技機１は、その貸球を、上記払出装置６２から払い出し、賞球払出口１２を介して賞球受け部１２０に貸し出すよう構成してある（いわゆるＣＲ機）。そのため、図７に示すごとく、受皿１０は、貸球受け部１３０を省略して小ぶりな形状となっている。
【００４０】
本例では、図７に示すごとく、ファール球返却口１１及び賞球払出口１２は、互いに重複していないファール球受け部１１０及び賞球受け部１２０に向って開口している。
そのため、上記ファール球返却口１１から返却されるファール球と、上記賞球払出口１２から払い出される賞球とは、自ずと異なる転がりルートを経由してレール供給部１４０へ至ることとなる。
したがって、本例のパチンコ遊技機１においては、遊技者はファール球が返却されたことを容易に知ることができる。
なお、その他の構成及び作用効果は実施例１と同様である。
【００４１】
（実施例３）
本例は、実施例１のパチンコ遊技機１に基づいて、球供給路６３、球払出装置６２及び球払出流路６１の配置を変更した例である。
本例のパチンコ遊技機１においては、図８に示すごとく、球タンク６４から球供給路６３を介して球払出装置６２に至り、さらに球払出流路６１を介して賞球払出口１２へ至るパチンコ球の供給経路を、全てパチンコ遊技機１の表面側から見て中央から右側部に配置してある。一方、ファール球回収機構２１、ファール球トンネル２２及びファール球返却口１１は、実施例１と同様、パチンコ遊技機１の表面側から見て中央から左側部に配置してある。
【００４２】
したがって、本例のパチンコ遊技機１においては、ファール球を返却するための通路等をパチンコ遊技機１の裏面を横断して配設する必要がない。そのため、本例のパチンコ遊技機１は、その裏面等に配設する制御装置等の搭載性が非常に良好なものとなる。
なお、その他の構成及び作用効果は、実施例１と同様である。
【図面の簡単な説明】
【００４３】
【図１】実施例１における、パチンコ遊技機を示す正面図。
【図２】実施例１における、発射装置を示す一部断面図。
【図３】実施例１における、ファール球回収機構を示すＡ−Ａ断面図。
【図４】実施例１における、ファール球回収機構を示す一部断面図を含む、受皿の上面図。
【図５】実施例１における、パチンコ遊技機に対するパチンコ球の供給経路を示す一部断面図。
【図６】実施例１における、ファール球トンネルの構造を示すＢ−Ｂ断面図。
【図７】実施例１におけるその他の、ファール球回収機構を示す一部断面図を含む、受皿の上面図。
【図８】実施例１におけるその他の、ファール球トンネルの構造を示すＣ−Ｃ断面図。
【図９】実施例２における、ファール球回収機構を示す一部断面図を含む、受皿の上面図。
【図１０】実施例３における、パチンコ遊技機に対するパチンコ球の供給経路を示す一部断面図。
【符号の説明】
【００４４】
１  パチンコ遊技機
１０  受皿
１１  ファール球返却口
１２  賞球払出口
２０  発射装置
２１  ファール球回収機構
２２  ファール球トンネル
２５  操作ハンドル
４０  前枠
４１  遊技盤
６２  球払出装置
６４  球タンク
１１０  ファール球受け部
１２０  賞球受け部
１３０  貸球受け部
１４０  レール供給部
【図１】
2008161719.tif 000003
【図２】
2008161719.tif 000004
【図３】
2008161719.tif 000005
【図４】
2008161719.tif 000006
【図５】
2008161719.tif 000007
【図６】
2008161719.tif 000008
【図７】
2008161719.tif 000009
【図８】
2008161719.tif 000010
【図９】
2008161719.tif 000011
【図１０】
2008161719.tif 000012